(57)【要約】【課題】アクセスポイントの起動指示と動作モードの指示とを同一画面で行うことができ、ユーザの手間を省くことができるようにすることである。【解決手段】情報処理装置は、無線アドホックネットワークのアクセスポイントの起動指示と、前記アクセスポイントの動作モードの指示とを、同一画面で行うことができる指示受付手段と、前記指示受付手段で指示された動作モードでアクセスポイントを起動する起動手段とを有する。【選択図】図５
2019153993.tif 000002
【特許請求の範囲】
【請求項１】
無線アドホックネットワークのアクセスポイントの起動指示と、前記アクセスポイントの動作モードの指示とを、同一画面で行うことができる指示受付手段と、
前記指示受付手段で指示された動作モードでアクセスポイントを起動する起動手段と
を有することを特徴とする情報処理装置。
【請求項２】
前記指示受付手段は、第１の動作モードでアクセスポイントを起動指示するための第１の指示手段と、第２の動作モードでアクセスポイントを起動指示するための第２の指示手段とを有することを特徴とする請求項１に記載の情報処理装置。
【請求項３】
前記指示受付手段は、有線ネットワークに接続されている場合には、前記第１の指示手段による指示と前記第２の指示手段による指示が可能であることを特徴とする請求項２に記載の情報処理装置。
【請求項４】
前記指示受付手段は、前記第１の動作モードの無線ネットワークに接続されている場合には、前記第１の指示手段による指示が可能であり、前記第２の指示手段による指示が可能でないことを特徴とする請求項２または３に記載の情報処理装置。
【請求項５】
前記指示受付手段は、第１の動作モードを選択するための第１の選択手段と、第２の動作モードを選択するための第２の選択手段と、前記第１の選択手段または前記第２の選択手段により選択された第１の動作モードまたは第２の動作モードでアクセスポイントを起動指示するための指示手段とを有することを特徴とする請求項１に記載の情報処理装置。
【請求項６】
前記指示受付手段は、有線ネットワークに接続されている場合には、前記第１の選択手段による選択と前記第２の指示手段による選択が可能であることを特徴とする請求項５に記載の情報処理装置。
【請求項７】
前記指示受付手段は、前記第１の動作モードの無線ネットワークに接続されている場合には、前記第１の選択手段による選択が可能であり、前記第２の選択手段による選択が可能でないことを特徴とする請求項５または６に記載の情報処理装置。
【請求項８】
前記第１の動作モードは、繋がりやすさ優先の動作モードであり、
前記第２の動作モードは、速さ優先の動作モードであることを特徴とする請求項２〜７のいずれか１項に記載の情報処理装置。
【請求項９】
前記第１の動作モードは、第１の周波数の無線の動作モードであり、
前記第２の動作モードは、第２の周波数の無線の動作モードであることを特徴とする請求項２〜７のいずれか１項に記載の情報処理装置。
【請求項１０】
前記第１の動作モードは、第１の無線通信ネットワーク規格の動作モードであり、
前記第２の動作モードは、第２の無線通信ネットワーク規格の動作モードであることを特徴とする請求項２〜７のいずれか１項に記載の情報処理装置。
【請求項１１】
無線アドホックネットワークのアクセスポイントの起動指示と、前記アクセスポイントの動作モードの指示とを、同一画面で行うことができる指示受付ステップと、
前記指示受付ステップで指示された動作モードでアクセスポイントを起動する起動ステップと
を有することを特徴とする情報処理装置の制御方法。
【請求項１２】
コンピュータを、請求項１〜１０のいずれか１項に記載された情報処理装置の各手段として機能させるためのプログラム。
【発明の詳細な説明】
【技術分野】
【０００１】
本発明は、情報処理装置、情報処理装置の制御方法及びプログラムに関する。
【背景技術】
【０００２】
近年、電気電子学会（ＩＥＥＥ）８０２．１１規格として、８０２．１１ａ／ｂ／ｇ／ｎに加えて、より高速な８０２．１１ａｃが規定された。８０２．１１ａｃ／ａは、５ＧＨｚの周波数帯域を使用する。一方、８０２．１１ｂ／ｇは、２．４ＧＨｚの周波数帯域を使用する。また、８０２．１１ｎは、２．４ＧＨｚ及び５ＧＨｚの両方をサポートするが、一般的には２．４ＧＨｚ周波数帯域が使用されている。一般的なモバイル端末では、これらの無線ＬＡＮ規格をすべてサポートしている。また、動作する周波数帯域を設定できる端末もある。また、８０２．１１ａｃと８０２．１１ｎの両方をサポートし、アクセスポイントとして動作するＭＦＰ（複合機）もある。また、複数のモードでのアクセスポイントを起動する方法が知られている（特許文献１参照）。
【先行技術文献】
【特許文献】
【０００３】
【特許文献１】特開２００９−１００３８２号公報
【発明の概要】
【発明が解決しようとする課題】
【０００４】
しかし、アクセスポイントの起動指示と、動作周波数の指示を別々の画面で行うと、画面遷移が多くなり、煩雑な操作が必要となるため、ユーザの手間となるという課題がある。
【０００５】
本発明の目的は、アクセスポイントの起動指示と動作モードの指示とを同一画面で行うことができ、ユーザの手間を省くことができるようにすることである。
【課題を解決するための手段】
【０００６】
本発明の情報処理装置は、無線アドホックネットワークのアクセスポイントの起動指示と、前記アクセスポイントの動作モードの指示とを、同一画面で行うことができる指示受付手段と、前記指示受付手段で指示された動作モードでアクセスポイントを起動する起動手段とを有する。
【発明の効果】
【０００７】
本発明によれば、アクセスポイントの起動指示と動作モードの指示とを同一画面で行うことができ、ユーザの手間を省くことができる。
【図面の簡単な説明】
【０００８】
【図１】情報処理システムの構成例を示す図である。
【図２】ＭＦＰのハードウェア構成例を示す図である。
【図３】ＭＦＰのソフトウェア構成例を示す図である。
【図４】無線機能設定画面のユーザインターフェースの遷移図である。
【図５】ＭＦＰの無線機能制御のユーザインターフェースの遷移図である。
【図６】ＭＦＰの画面表示までのフローチャートである。
【図７】ＭＦＰの無線機能制御のユーザインターフェースの遷移図である。
【図８】ＭＦＰの画面表示までのフローチャートである。
【発明を実施するための形態】
【０００９】
以下、本発明を実施するための最良の形態について図面を用いて説明する。なお、以下の実施の形態は特許請求の範囲に係る発明を限定するものでなく、また実施の形態で説明されている特徴の組み合わせの全てが発明の解決手段に必須のものとは限らない。
【００１０】
（第１の実施形態）
図１は、本発明の第１の実施形態による情報処理システム１３０の構成例を示す図である。情報処理システム１３０は、携帯端末１００と、ＭＦＰ１１０と、アクセスポイント１２０とを有する。アクセスポイント１２０は、ユーザ環境の基幹ネットワークに接続されている。ＭＦＰ１１０は、画像形成装置であり、携帯端末１００をアクセスポイント１２０に接続させることができる。携帯端末１００は、ＭＦＰ１１０をアクセスポイントとして無線接続する。
【００１１】
図１にはアクセスポイント１２０は一台しかないが、実際のユーザ環境では複数台のアクセスポイントを常設していることが多い。また、ＭＦＰ１１０は、情報処理装置であり、パーソナルコンピュータや携帯端末などであってもよい。
【００１２】
なお、無線ＬＡＮモードは、ユーザの基幹ネットワークへ繋がっているアクセスポイントへインフラストラクチャーモードとしてＭＦＰ１１０を接続させるモードであり、有線ＬＡＮは同様に基幹ネットワークへ有線式で接続させるモードである。また、無線ソフトＡＰ（アクセスポイント）モードは、無線アドホックモードのうちの一部であり、ＭＦＰ１１０が疑似的なアクセスポイントとして機能することで携帯端末１００をＭＦＰ１１０へ接続させるモードである。
【００１３】
図２は、ＭＦＰ１１０のハードウェア構成例を示す図である。大規模記憶装置２１１は、例えばハードディスク等である。ＣＰＵ２０２は、ＲＯＭ２０３又は大規模記憶装置２１１に記憶されたソフトウェア（プログラム）を実行する。また、ＣＰＵ２０２は、システムバス２０１に接続される各デバイスを総括的に制御する。
【００１４】
ＲＡＭ２０４は、ＣＰＵ２０２の主メモリ及びワークエリア等として機能する。外部入力コントローラ（ＰＡＮＥＬＣ）２０６は、ＭＦＰ１１０に備えられる各種ボタン又はタッチパネル（ＰＡＮＥＬ）２０７等からの指示入力を制御する。ディスプレイコントローラ（ＤＩＳＰＣ）２０８は、例えば液晶ディスプレイ等で構成される表示モジュール（ＤＩＳＰＬＡＹ）２０９の表示を制御する。ディスクコントローラ２１０は、大規模記憶装置２１１を制御する。大規模記憶装置２１１は、画像の一時記憶場所としても使われる。
【００１５】
ネットワークインタフェースカード（ＮＩＣ）２０５は、ネットワーク２００を介して、他のネットワーク機器又はファイルサーバ等と双方向にデータを送受信する。無線通信モジュール（ＷＬＡＮ）２１４は、インフラストラクチャーモード又はソフトＡＰモードで無線通信を行う。無線通信モジュール２１４がソフトＡＰモードで動作する場合、ＭＦＰ１１０は、アクセスポイントとして動作し、携帯端末１００と直接無線通信接続することができる。プリンタ２１２は、電子写真方式で実現される紙への印刷部である。印刷方式は、特に電子写真方式でなくてもよい。
【００１６】
スキャナ２１３は、紙に印刷された画像を読み込むための画像読み取り部である。スキャナ２１３には、オプションとしてＡＤＦ（オートドキュメントフィーダ）が装着され、複数枚の原稿を自動的に読み込むことができる。
【００１７】
図３は、ＭＦＰ１１０のソフトウェア構成例を示す図である。ＯＳカーネル３２０は、ネットワーク設定制御部３００と、ＵＩ制御部３１０と、Ｗｉ−Ｆｉ通信制御部３３０と、Ｅｔｈｅｒｎｅｔ通信制御部３４０を制御する。Ｗｉ−Ｆｉ通信制御部３３０は、無線通信モジュール２１４を制御するためのモジュールである。Ｅｔｈｅｒｎｅｔ通信制御部３４０は、ネットワークインタフェースカード２０５を制御する。ネットワーク設定制御部３００は、ＯＳカーネル３２０を介して、Ｗｉ−Ｆｉ通信制御部３３０及びＥｔｈｅｒｎｅｔ通信制御部３４０の設定を制御する。ネットワーク設定制御部３００は、現在のネットワーク設定を管理し、Ｅｔｈｅｒｎｅｔ（有線ＬＡＮ）、無線ＬＡＮ、無線ソフトＡＰのそれぞれのモードが有効か否かを管理する。本実施形態では、有線ＬＡＮと無線ＬＡＮは、排他的のみ設定が可能である。無線ソフトＡＰモードは、ＬＡＮの設定とは独立して設定可能である。ネットワーク設定制御部３００は、ＵＩ制御部３１０と情報伝達を行い、ＵＩの表示を変えたり、逆にＵＩからの操作要求によってネットワーク制御を行う。
【００１８】
図４は、ＭＦＰ１１０の有線ＬＡＮ／無線ＬＡＮモードの切り替えと無線ＬＡＮの接続を行うローカルユーザインターフェースの画面遷移を示す図である。ＵＩ制御部３１０は、まず、画面５１０を表示する。画面５１０では、ＬＡＮモード設定ボタン５１１と無線ＬＡＮ設定ボタン５１１が表示される。ユーザがＬＡＮモード設定ボタン５１１を押すと、ＵＩ制御部３１０は、画面５２０を表示する。画面５２０は、有線ＬＡＮモードボタン５２２と無線ＬＡＮモードボタン５２３を切り替える画面であり、画面５２０の例では無線ＬＡＮモードボタン５２３が選択されている。ユーザが設定保存ボタン５２１を押すと、ネットワーク設定制御部３００は、現在のＬＡＮモードを保存し、ＵＩ制御部３１０は、画面５１０を表示する。画面５１０の無線ＬＡＮ設定ボタン５１２は、現在のＬＡＮモード設定が無線ＬＡＮモードに設定されている場合のみ有効化される。ユーザが無線ＬＡＮ設定ボタン５１２を押すと、ＵＩ制御部３１０は、無線ＬＡＮの接続先を設定する画面５３０を表示する。
【００１９】
画面５３０では、ユーザが接続先情報をＳＳＩＤ入力テキストフィールド７５１とＰＳＫ入力テキストフィールド７５２に入力可能である。一度接続したＳＳＩＤならば、記憶済みのＰＳＫがそれぞれの入力テキストフィールド７５１及び７５２に予め入力された状態で表示される。ＰＳＫは、セキュリティの都合上、実際の入力値はアスタリスクで表示される。ユーザが接続するボタン５３３を押すと、Ｗｉ−Ｆｉ通信接続部３３０は、現在の入力テキストフィールド５３１及び５３２の値を接続先情報として無線ＬＡＮ接続処理を開始し、ＵＩ制御部３１０は画面５４０を表示する。このとき、Ｗｉ−Ｆｉ通信接続部３３０は、周波数を指定して無線接続処理を行う。画面５４０では、ＵＩ制御部３１０は、ホップアップ５４２を表示し、ユーザに無線ＬＡＮ接続処理が進行中である旨を伝える。ユーザは、キャンセルボタン５４１を押すことで、無線ＬＡＮ接続処理をキャンセルすることができる。接続が成功すると、ネットワーク設定制御部３００は、接続時に指定した周波数を記憶しておく。
【００２０】
図５は、ＭＦＰ１１０の無線機能制御のローカルユーザインターフェースの画面遷移を示す図である。ＵＩ制御部３１０は、メインメニューの画面６１０を表示する。ユーザが無線ソフトＡＰ管理ボタン６１１を押すと、無線ＬＡＮが８０２．１１ａｃで接続されている場合、ＵＩ制御部３１０は、無線ソフトＡＰ起動画面である画面６２０を表示する。この画面６２０では、繋がりやすさ優先の無線ソフトＡＰ起動ボタン６２１は無効化されており、繋がりやすさ優先の無線ソフトＡＰを起動させることはできない。速さ優先の無線ソフトＡＰ起動ボタン６２２は有効化されているので、速さ優先の無線ソフトＡＰを起動することは可能である。例えば、繋がりやすさ優先の無線ソフトＡＰは２．４ＧＨｚの８０２．１１ｎであり、速さ優先の無線ソフトＡＰは５ＧＨｚの８０２．１１ａｃである。ユーザが速さ優先の無線ソフトＡＰ起動ボタン６２２を押すと、ＵＩ制御部３１０は、画面６５０を表示する。
【００２１】
画面６１０において、ユーザが無線ソフトＡＰ管理ボタン６１１を押すと、無線ＬＡＮが接続されていない場合、ＵＩ制御部３１０は、無線ソフトＡＰ起動画面として画面６３０を表示する。画面６３０では、繋がりやすさ優先の無線ソフトＡＰ起動ボタン６３１と速さ優先の無線ソフトＡＰ起動ボタン６３２は有効化されているため、どちらの周波数の無線ソフトＡＰも起動することができる。ユーザが繋がりやすさ優先の無線ソフトＡＰ起動ボタン６３１又は速さ優先の無線ソフトＡＰ起動ボタン６３２を押すと、ＵＩ制御部３１０は、画面６５０を表示する。
【００２２】
画面６１０において、ユーザが無線ソフトＡＰ管理ボタン６１１を押すと、無線ＬＡＮが８０２．１１ｎで接続されている場合、ＵＩ制御部３１０は、無線ソフトＡＰ起動画面として画面６４０を表示する。この画面６４０では、繋がりやすさ優先の無線ソフトＡＰ起動ボタン６４１は有効化されており、繋がりやすさ優先の無線ソフトＡＰを起動させることができる。速さ優先の無線ソフトＡＰ起動ボタン６４２は無効化されているので、速さ優先の無線ソフトＡＰを起動することはできない。ユーザが繋がりやすさ優先の無線ソフトＡＰ起動ボタン６４１を押すと、ＵＩ制御部３１０は、画面６５０を表示する。
【００２３】
ＵＩ制御部３１０が画面６５０を表示すると、携帯端末１００は、ＭＦＰ１１０へ接続することができる。ユーザが無線ソフトＡＰ停止ボタン６５１を押すと、ネットワーク設定制御部３００は、無線ソフトＡＰモードを停止し、ＵＩ制御部３１０は、画面６２０，６３０又は６４０の表示に戻る。
【００２４】
画面６２０，６３０，６４０の操作からわかるように、ユーザが、アクセスポイントの起動指示と、動作周波数の指示を同一画面で行うことができるため、ユーザの手間が軽減される。
【００２５】
なお、無線ソフトＡＰ起動画面６２０，６３０，６４０は、明示的に周波数を表示し、ユーザに周波数を選択させてもよい。画面６６０は、周波数をローカルユーザインターフェースのボタン名に表示した画面例である。ＵＩ制御部３１０は、画面６６０では、２．４ＧＨｚ用ソフトＡＰ開始ボタン６６１と、５ＧＨｚ用ソフトＡＰ開始ボタン６６２を表示する。
【００２６】
また、無線ソフトＡＰ起動画面６２０，６３０，６４０は、明示的に無線ＬＡＮの規格名を表示し、ユーザに無線ＬＡＮ規格を選択させてもよい。画面６８０は、無線ＬＡＮ規格名をローカルユーザインターフェースのボタン名に表示した画面例である。ＵＩ制御部３１０は、画面６８０では、８０２．１１ａ／ｂ／ｇ／ｎ用ソフトＡＰ開始ボタン６８１と、８０２．１１ａｃ用ソフトＡＰ開始ボタン６８２を表示する。
【００２７】
図６は、ＭＦＰ１１０の無線ソフトＡＰモードの起動制御を行うフローチャートである。前提条件として、このフローチャートの開始時点では、無線ソフトＡＰモードは停止中である。無線通信で用いるハードウェア回路の構成によっては、Ｗｉ−Ｆｉ無線通信のインフラストラクチャーモードとアドホックモードの２つは、同じ周波数チャネルを使用しなければならないという制限を受けることがある。繋がりやすさ優先の無線ソフトＡＰモードは２．４ＧＨｚの８０２．１１ｎであり、速さ優先の無線ソフトＡＰモードは５ＧＨｚの８０２．１１ａｃである。ユーザが図５の無線ソフトＡＰ管理画面ボタン６１１を押すと、図６のフローチャートが開始する。
【００２８】
ステップＳ４０１では、ネットワーク設定制御部３００は、接続されているＬＡＮが有線ＬＡＮモードか無線ＬＡＮモードかを判定する。ネットワーク設定制御部３００は、有線ＬＡＮモードである場合にはステップＳ４０２に進み、無線ＬＡＮモードである場合にはステップＳ４０３に進む。
【００２９】
ステップＳ４０２では、ネットワーク設定制御部３００は、画面６３０において、繋がりやすさ優先のソフトＡＰ起動ボタン６３１と速さ優先のソフトＡＰ起動ボタン６３２を有効にし、ステップＳ４０６に進む。ステップＳ４０６では、ＵＩ制御部３１０は、無線ソフトＡＰモード起動用の画面６３０を表示する。ステップＳ４０７では、ネットワーク設定制御部３００は、無線ソフトＡＰモード起動用の画面６３０においてソフトＡＰ起動ボタン６３１又は６３２が押下されるまで待機する。ソフトＡＰ起動ボタン６３１又は６３２が押下された場合には、ネットワーク設定制御部３００は、ステップＳ４０８に進む。ステップＳ４０８では、ネットワーク設定制御部３００は、無線ソフトＡＰモード起動用の画面６３０で押下されたソフトＡＰ起動ボタン６３１又は６３２の周波数のソフトＡＰモードを起動する。
【００３０】
ステップＳ４０３では、ネットワーク設定制御部３００は、接続されている無線ＬＡＮの周波数が２．４ＧＨｚの８０２．１１ｎか否かを判定する。ネットワーク設定制御部３００は、２．４ＧＨｚの８０２．１１ｎである場合にはステップＳ４０４に進み、２．４ＧＨｚの８０２．１１ｎでない場合にはステップＳ４０５に進む。
【００３１】
ステップＳ４０４では、ネットワーク設定制御部３００は、画面６４０において、繋がりやすさ優先のソフトＡＰ起動ボタン６４１を有効にし、速さ優先のソフトＡＰ起動ボタン６４２を無効にし、ステップＳ４０６に進む。ステップＳ４０６では、ＵＩ制御部３１０は、無線ソフトＡＰモード起動用の画面６４０を表示する。ステップＳ４０７では、ネットワーク設定制御部３００は、無線ソフトＡＰモード起動用の画面６４０において繋がりやすさ優先のソフトＡＰ起動ボタン６４１が押下されるまで待機する。繋がりやすさ優先のソフトＡＰ起動ボタン６４１が押下された場合には、ネットワーク設定制御部３００は、ステップＳ４０８に進む。ステップＳ４０８では、ネットワーク設定制御部３００は、繋がりやすさ優先のソフトＡＰ起動ボタン６４１の周波数のソフトＡＰモードを起動する。
【００３２】
ステップＳ４０５では、ネットワーク設定制御部３００は、画面６２０において、繋がりやすさ優先のソフトＡＰ起動ボタン６２１を無効にし、速さ優先のソフトＡＰ起動ボタン６２２を有効にし、ステップＳ４０６に進む。ステップＳ４０６では、ＵＩ制御部３１０は、無線ソフトＡＰモード起動用の画面６２０を表示する。ステップＳ４０７では、ネットワーク設定制御部３００は、無線ソフトＡＰモード起動用の画面６２０において速さ優先のソフトＡＰ起動ボタン６２２が押下されるまで待機する。速さ優先のソフトＡＰ起動ボタン６２２が押下された場合には、ネットワーク設定制御部３００は、ステップＳ４０８に進む。ステップＳ４０８では、ネットワーク設定制御部３００は、速さ優先のソフトＡＰ起動ボタン６２２の周波数のソフトＡＰモードを起動する。
【００３３】
以上のように、ＵＩ制御部３１０は、指示受付手段であり、画面６２０，６３０，６４０において、無線アドホックネットワークのアクセスポイントの起動指示と、そのアクセスポイントの動作モードの指示とを、同一画面で行うことができる。ネットワーク設定制御部３００は、起動手段であり、ＵＩ制御部３１０で指示された動作モードでアクセスポイントを起動する。繋がりやすさ優先のソフトＡＰ起動ボタン６３１，６４１は、第１の動作モードでアクセスポイントを起動指示するための第１の指示手段である。速さ優先のソフトＡＰ起動ボタン６２２，６３２は、第２の動作モードでアクセスポイントを起動指示するための第２の指示手段である。
【００３４】
画面６３０では、第１の動作モードは、繋がりやすさ優先の動作モード６３１であり、第２の動作モードは、速さ優先の動作モード６３２である。画面６６０では、第１の動作モードは、第１の周波数の無線の動作モード６６１であり、第２の動作モードは、第２の周波数の無線の動作モード６６２である。画面６８０では、第１の動作モードは、第１の無線通信ネットワーク規格の動作モード６８１であり、第２の動作モードは、第２の無線通信ネットワーク規格の動作モード６８２である。
【００３５】
ステップＳ４０１では、ネットワーク設定制御部３００は、有線ネットワークに接続されている場合には、ステップＳ４０２に進む。ステップＳ４０２では、ＵＩ制御部３１０は、画面６３０において、繋がりやすさ優先のソフトＡＰ起動ボタン６３１による指示と速さ優先のソフトＡＰ起動ボタン６３２による指示が可能である。
【００３６】
ステップＳ４０３では、ネットワーク設定制御部３００は、２．４ＧＨｚの８０２．１１ｎの無線ネットワークに接続されている場合には、ステップＳ４０４に進む。ステップＳ４０４では、ＵＩ制御部３１０は、画面６４０において、２．４ＧＨｚの８０２．１１ｎのソフトＡＰ起動ボタン６４１による指示が可能であり、５ＧＨｚの８０２．１１ａｃのソフトＡＰ起動ボタン６４２による指示が可能でない。
【００３７】
本実施形態によれば、画面６２０，６３０，６４０において、ユーザが、アクセスポイントの起動指示と、動作周波数の指示を同一画面で行うことができるため、ユーザの手間を軽減することができる。
【００３８】
（第２の実施形態）
第２の実施形態の情報処理システム１３０は、第１の実施形態の情報処理システム１３０に対して、同様の構成を有する。以下、第２の実施形態が第１の実施形態と異なる点を説明する。
【００３９】
図７は、第２の実施形態によるＭＦＰ１１０の無線機能制御のローカルユーザインターフェースの画面遷移を示す図である。ＵＩ制御部３１０は、メインメニューの画面８１０を表示する。ユーザが無線ソフトＡＰ管理ボタン８１１を押すと、無線ＬＡＮが８０２．１１ａｃで接続されている場合、ＵＩ制御部３１０は、無線ソフトＡＰ起動画面である画面８２０を表示する。この画面６２０では、繋がりやすさ優先のチェックボックス８２１は無効化されており、繋がりやすさ優先の無線ソフトＡＰを起動させることはできない。速さ優先のチェックボックス８２２は有効化され、チェックされているので、速さ優先の無線ソフトＡＰを起動することは可能である。例えば、繋がりやすさ優先の無線ソフトＡＰは２．４ＧＨｚの８０２．１１ｎであり、速さ優先の無線ソフトＡＰは５ＧＨｚの８０２．１１ａｃである。ユーザが、速さ優先のチェックボックス８２２がチェックされた状態で、開始ボタン８２３を押すと、ＵＩ制御部３１０は、画面８５０を表示する。
【００４０】
画面８１０において、ユーザが無線ソフトＡＰ管理ボタン８１１を押すと、無線ＬＡＮが接続されていない場合、ＵＩ制御部３１０は、無線ソフトＡＰ起動画面として画面８３０を表示する。画面６３０では、繋がりやすさ優先のチェックボックス８３１と速さ優先のチェックボックス８３２は有効化されているため、どちらの周波数の無線ソフトＡＰも起動することができる。デフォルトとして、繋がりやすさ優先のチェックボックス８３１が選択されているが、ユーザが変更することも可能である。ユーザが、チェックボックス８３１又は８３２をチェックした状態で開始ボタン８３３を押すと、ＵＩ制御部３１０は、画面８５０を表示する。
【００４１】
画面８１０において、ユーザが無線ソフトＡＰ管理ボタン８１１を押すと、無線ＬＡＮが８０２．１１ｎで接続されている場合、ＵＩ制御部３１０は、無線ソフトＡＰ起動画面として画面８４０を表示する。この画面６４０では、繋がりやすさ優先のチェックボックス８４１は有効化され、チェックされており、繋がりやすさ優先の無線ソフトＡＰを起動させることができる。速さ優先のチェックボックス８４２は無効化されているので、速さ優先の無線ソフトＡＰを起動することはできない。ユーザが、繋がりやすさ優先のチェックボックス８４１がチェックされた状態で、開始ボタン８４３を押すと、ＵＩ制御部３１０は、画面８５０を表示する。
【００４２】
ＵＩ制御部３１０が画面８５０を表示すると、携帯端末１００は、ＭＦＰ１１０へ接続することができる。ユーザが無線ソフトＡＰ停止ボタン８５１を押すと、ネットワーク設定制御部３００は、無線ソフトＡＰモードを停止し、ＵＩ制御部３１０は、画面８２０，８３０又は８４０の表示に戻る。
【００４３】
画面８２０，８３０，８４０の操作からわかるように、ユーザが、アクセスポイントの起動指示と、動作周波数の指示を同一画面で行うことができるため、ユーザの手間が軽減される。
【００４４】
なお、無線ソフトＡＰ起動画面８２０，８３０，８４０は、明示的に周波数を表示し、ユーザに周波数を選択させてもよい。画面８６０は、周波数をローカルユーザインターフェースのチェックボックス名に表示した画面例である。ＵＩ制御部３１０は、画面８６０では、２．４ＧＨｚ用ソフトＡＰチェックボックス８６１と、５ＧＨｚ用ソフトＡＰチェックボックス８６２と、開始ボタン８６３とを表示する。
【００４５】
また、無線ソフトＡＰ起動画面８２０，８３０，８４０は、明示的に無線ＬＡＮの規格名を表示し、ユーザに無線ＬＡＮ規格を選択させてもよい。画面８８０は、無線ＬＡＮ規格名をローカルユーザインターフェースのチェックボックス名に表示した画面例である。ＵＩ制御部３１０は、画面８８０では、８０２．１１ａ／ｂ／ｇ／ｎ用ソフトＡＰチェックボックス８８１と、８０２．１１ａｃ用ソフトＡＰチェックボックス８８２と、開始ボタン８８３とを表示する。
【００４６】
図８は、ＭＦＰ１１０の無線ソフトＡＰモードの起動制御を行うフローチャートである。前提条件と制限は、第１の実施形態と同様である。繋がりやすさ優先の無線ソフトＡＰモードは２．４ＧＨｚの８０２．１１ｎであり、速さ優先の無線ソフトＡＰモードは５ＧＨｚの８０２．１１ａｃである。無線ソフトＡＰ起動画面のユーザインターフェースは、チェックボックスで周波数を選択し、開始ボタンにより、チェックボックスで選択された周波数ソフトＡＰを起動することが可能である。ユーザが図７の無線ソフトＡＰ管理画面ボタン８１１を押すと、図８のフローチャートが開始する。
【００４７】
ステップＳ７０１では、ネットワーク設定制御部３００は、接続されているＬＡＮが有線ＬＡＮモードか無線ＬＡＮモードかを判定する。ネットワーク設定制御部３００は、有線ＬＡＮモードである場合にはステップＳ７０２に進み、無線ＬＡＮモードである場合にはステップＳ７０４に進む。
【００４８】
ステップＳ７０２では、ネットワーク設定制御部３００は、画面８３０において、繋がりやすさ優先のチェックボックス８３１と速さ優先のチェックボックス８３２を有効にする。ステップＳ７０３では、ネットワーク設定制御部３００は、画面８３０において、デフォルトのチェックボックス８３１にチェックを入れる。画面８３０では、繋がりやすさ優先のチェックボックス８３１にチェックを入れているが、速さ優先のチェックボックス８３２にチェックを入れてもよい。２つのチェックボックス８３１及び８３２は、排他である。ステップＳ７０９では、ＵＩ制御部３１０は、無線ソフトＡＰモード起動用の画面８３０を表示する。画面８３０では、ユーザがチェックを変更することも可能である。ステップＳ７１０では、ネットワーク設定制御部３００は、無線ソフトＡＰモード起動用の画面８３０において開始ボタン８３３が押下されるまで待機し、開始ボタン８３３が押下された場合には、ステップＳ７１１に進む。ステップＳ７１１では、ネットワーク設定制御部３００は、無線ソフトＡＰモード起動用の画面８３０でチェックされたチェックボックス８３１又は８３２の周波数のソフトＡＰモードを起動する。
【００４９】
ステップＳ７０４では、ネットワーク設定制御部３００は、接続されている無線ＬＡＮの周波数が２．４ＧＨｚの８０２．１１ｎか否かを判定する。ネットワーク設定制御部３００は、２．４ＧＨｚの８０２．１１ｎである場合にはステップＳ７０５に進み、２．４ＧＨｚの８０２．１１ｎでない場合にはステップＳ７０７に進む。
【００５０】
ステップＳ７０５では、ネットワーク設定制御部３００は、画面８４０において、繋がりやすさ優先のチェックボックス８４１を有効にし、チェックを入れる。ステップＳ７０６では、ネットワーク設定制御部３００は、画面８４０において、速さ優先のチェックボックス８４２を無効にする。ステップＳ７０９では、ＵＩ制御部３１０は、無線ソフトＡＰモード起動用の画面８４０を表示する。ステップＳ７１０では、ネットワーク設定制御部３００は、無線ソフトＡＰモード起動用の画面８４０において開始ボタン８４３が押下されるまで待機し、開始ボタン８４３が押下された場合には、ステップＳ７１１に進む。ステップＳ７１１では、ネットワーク設定制御部３００は、繋がりやすさ優先のチェックボックス８４１の周波数のソフトＡＰモードを起動する。
【００５１】
ステップＳ７０７では、ネットワーク設定制御部３００は、画面８２０において、速さ優先のチェックボックス８２２を有効にし、チェックを入れる。ステップＳ７０８では、ネットワーク設定制御部３００は、画面８２０において、繋がりやすさ優先のチェックボックス８２１を無効にする。ステップＳ７０９では、ＵＩ制御部３１０は、無線ソフトＡＰモード起動用の画面８２０を表示する。ステップＳ７１０では、ネットワーク設定制御部３００は、無線ソフトＡＰモード起動用の画面８２０において開始ボタン８２３が押下されるまで待機し、開始ボタン８２３が押下された場合には、ステップＳ７１１に進む。ステップＳ７１１では、ネットワーク設定制御部３００は、速さ優先のチェックボックス８２２の周波数のソフトＡＰモードを起動する。
【００５２】
以上のように、画面８３０は、繋がりやすさ優先の動作モードを選択するためのチェックボックス８３１と、速さ優先の動作モードを選択するためのチェックボックス８３２と、アクセスポイントを起動指示するための開始ボタン８３３を有する。開始ボタン８３３は、チェックボックス８３１または８３２により選択された動作モードでアクセスポイントを起動指示するためのボタンである。
【００５３】
ステップＳ７０１では、ネットワーク設定制御部３００は、有線ネットワークに接続されている場合には、ステップＳ７０２に進む。ステップＳ７０２では、ＵＩ制御部３１０は、画面８３０において、繋がりやすさ優先のチェックボックス８３１による選択と速さ優先のチェックボックス８３２による選択が可能である。
【００５４】
ステップＳ７０４では、ネットワーク設定制御部３００は、２．４ＧＨｚの８０２．１１ｎの無線ネットワークに接続されている場合には、ステップＳ７０５に進む。ステップＳ７０５では、ＵＩ制御部３１０は、画面８４０において、２．４ＧＨｚの８０２．１１ｎのチェックボックス８４１による選択が可能であり、５ＧＨｚの８０２．１１ａｃのチェックボックス８４２による選択が可能でない。
【００５５】
本実施形態によれば、画面８２０，８３０，８４０において、ユーザが、アクセスポイントの起動指示と、動作周波数の指示を同一画面で行うことができるため、ユーザの手間を軽減することができる。
【００５６】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読み出し実行する処理でも実現可能である。また、１以上の機能を実現する回路（例えば、ＡＳＩＣ）によっても実現可能である。
【００５７】
なお、上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００５８】
１００  携帯端末、１１０  ＭＦＰ、１２０  アクセスポイント、２０２  ＣＰＵ、２０３  ＲＯＭ、２０４  ＲＡＭ
【図１】
2019153993.tif 000003
【図２】
2019153993.tif 000004
【図３】
2019153993.tif 000005
【図４】
2019153993.tif 000006
【図５】
2019153993.tif 000007
【図６】
2019153993.tif 000008
【図７】
2019153993.tif 000009
【図８】
2019153993.tif 000010